(57)【要約】【課題】既存のＡＣアダプタの電源容量を大きくすることができ、ために新しく設計変更、省スペース性及びメンテナンス性に優れるＡＣアダプタ収納装置を提供することを目的とする。【解決手段】本発明のＡＣアダプタ収納装置１は、ＡＣアダプタ２ａ，２ｂを収納する２以上のアダプタ収納室３ａ，３ｂと、各々のアダプタ収納室３ａ，３ｂに形成されＡＣアダプタ２ａ，２ｂが挿入される挿入開口部４と、挿入開口部４に対向するアダプタ収納室３ａ，３ｂの最奥部６に配設されＡＣアダプタ２ａ，２ｂのＡＣ電源入力接続部７が接続されるＡＣ電源出力接続部５と、ＡＣ電源が入力されるＡＣ電源入力部９と、ＡＣ電源入力部９から入力されたＡＣ電源を各々のＡＣ電源出力接続部５に出力する電源分配部１０とを備えた構成を有している。【選択図】  図１
2004281246.tif 000002
【特許請求の範囲】
【請求項１】
ＡＣアダプタを収納する２以上のアダプタ収納室と、各々の前記アダプタ収納室に形成され前記ＡＣアダプタが挿入される挿入開口部と、前記挿入開口部に対向する前記アダプタ収納室の最奥部に配設され前記ＡＣアダプタのＡＣ電源入力接続部が接続されるＡＣ電源出力接続部と、ＡＣ電源が入力されるＡＣ電源入力部と、前記ＡＣ電源入力部から入力されたＡＣ電源を各々の前記ＡＣ電源出力接続部に出力する電源分配部とを備えたことを特徴とするＡＣアダプタ収納装置。
【請求項２】
各々の前記アダプタ収納室の筐体面に形成された放熱用開放部を備えたことを特徴とする請求項１に記載のＡＣアダプタ収納装置。
【請求項３】
前記ＡＣアダプタ収納室の前記挿入開口部の両側に形成された切り欠き部を備えたことを特徴とする請求項１又は２に記載のＡＣアダプタ収納装置。
【請求項４】
装置の筐体面に形成された掛止部を備えたことを特徴とする請求項１乃至３の内いずれか１項に記載のＡＣアダプタ収納装置。
【請求項５】
前記電源分配部が、高調波の発生を抑制する高調波抑制部を備えたことを特徴とする請求項１乃至４の内いずれか１項に記載のＡＣアダプタ収納装置。
【発明の詳細な説明】
【０００１】
【発明の属する技術分野】
本発明は、複数のＡＣアダプタを収納して保持するＡＣアダプタ収納装置に関する。
【０００２】
【従来の技術】
近年、種々の装置や機器等において、コンセント等を介してＡＣ電源から電源を得るためにＡＣアダプタが用いられている。
【０００３】
以下、一般的なＡＣアダプタについて、図を用いて説明する。
【０００４】
図５は一般的なＡＣアダプタの要部斜視図である。
【０００５】
図５において、１００はＡＣアダプタ、１０１は一端部に配設されたＡＣプラグ（図示せず）を介してコンセント等のＡＣ電源に接続されるＡＣコード、１０２はＡＣコード１０１の他端部に配設されたＡＣコネクタ部、１０３はＡＣコネクタ部１０２が接続されるＡＣ電源入力接続部、１０４は一端部が電源を必要とする機器等（図示せず）に接続され他端部がＡＣアダプタ１００に接続されＡＣアダプタ１００からＤＣ電源を機器等に出力するためのＤＣコードである。
【０００６】
図５に示すＡＣアダプタ１００は、ＡＣコネクタ部１０２がＡＣ電源入力接続部１０３に接続され、ＡＣコード１０１、ＡＣコネクタ部１０２、ＡＣ電源入力接続部１０３を介して交流電流が供給され、供給された交流電流をＡＣアダプタ１００内部のフィルタ回路や整流平滑回路、トランス、二次側整流回路等（図示せず）を介して直流電流に変換すると共に所定の電圧に変圧してＤＣコード１０４から機器等へ供給するものである。
【０００７】
ところで、上述したようなＡＣアダプタにより直流電流を得る機器として、構内交換機等の機器がある。構内交換機では、１つの機器に接続できる回線数に限度があるため、接続する回線を増やす場合には増設する必要があるが、構内交換機の増設を行った場合、電源容量が増加するため既存のＡＣアダプタの電源容量が足りなくなった場合は、ＡＣアダプタを電源容量が大きいものに変更するか、或いは新たにＡＣアダプタを増設する必要がある。なお、ＡＣアダプタを増設する場合は、特許文献１に開示の「本体正面に複数のプラグ差込部が設けられ該本体の裏面にプラグが設けられたコンセントタップ」を用いて、増設されたＡＣアダプタが１のコンセントから電源を得ることができるようになる。
【０００８】
【特許文献１】
特開平１１−２０４２１７号公報
【０００９】
【発明が解決しようとする課題】
しかしながら上記従来の技術では、以下のような課題を有していた。
【００１０】
（１）１つのＡＣアダプタで増設分の電源を補うためにＡＣアダプタの電源容量を増やす場合は設計からやり直さなければならずコスト的及び時間的な不具合が発生するという課題を有していた。
【００１１】
（２）カートリッジの増設に対応してＡＣアダプタを増設した場合は、特許文献１に開示の「コンセントタップ」を用いて増設されたＡＣアダプタが１のコンセントから電源を得ることができるが、この場合、ＡＣアダプタが嵩張ったりコードが絡まったりして省スペース性に欠けると共にメンテナンス性に欠けるという課題を有していた。
【００１２】
本発明は上記従来の課題を解決するもので、既存のＡＣアダプタの電源容量を大きくするために新しく設計変更する必要がないので省コスト性及び省力性に優れると共に、ＡＣアダプタを増設しても嵩張ったりコードが絡まったりすることなく、省スペース性及びメンテナンス性に優れるＡＣアダプタ収納装置を提供することを目的とする。
【００１３】
【課題を解決するための手段】
上記課題を解決するために、本発明のＡＣアダプタ収納装置は、ＡＣアダプタを収納する２以上のアダプタ収納室と、各々の前記アダプタ収納室に形成され前記ＡＣアダプタが挿入される挿入開口部と、前記挿入開口部に対向する前記アダプタ収納室の最奥部に配設され前記ＡＣアダプタのＡＣ電源入力接続部が接続されるＡＣ電源出力接続部と、ＡＣ電源が入力されるＡＣ電源入力部と、前記ＡＣ電源入力部から入力されたＡＣ電源を各々の前記ＡＣ電源出力接続部に出力する電源分配部とを備えた構成を有している。
【００１４】
この構成により、既存のＡＣアダプタの電源容量を大きくするために新しく設計変更する必要がないので省コスト性及び省力性に優れると共に、ＡＣアダプタを増設しても嵩張ったりコードが絡まったりすることなく、省スペース性及びメンテナンス性に優れるＡＣアダプタ収納装置を提供することができる。
【００１５】
【発明の実施の形態】
本発明の請求項１に記載のＡＣアダプタ収納装置は、ＡＣアダプタを収納する２以上のアダプタ収納室と、各々の前記アダプタ収納室に形成され前記ＡＣアダプタが挿入される挿入開口部と、前記挿入開口部に対向する前記アダプタ収納室の最奥部に配設され前記ＡＣアダプタのＡＣ電源入力接続部が接続されるＡＣ電源出力接続部と、ＡＣ電源が入力されるＡＣ電源入力部と、前記ＡＣ電源入力部から入力されたＡＣ電源を各々の前記ＡＣ電源出力接続部に出力する電源分配部とを備えた構成を有している。
【００１６】
この構成により、以下の作用を有する。
【００１７】
（１）ＡＣアダプタをＡＣ電源入力接続部側からアダプタ収納室の挿入開口部に挿入し、アダプタ収納室の内壁に沿って摺動させながら押し込み、ＡＣ電源入力接続部をアダプタ収納室の最奥部においてＡＣ電源出力接続部に接続することにより、ＡＣアダプタをアダプタ収納室に装着し収納することができる。
【００１８】
（２）電源分配部はＡＣ電源からＡＣ電源入力部を介して交流電流を得ると共に、２以上のアダプタ収納室の各々に配設されたＡＣ電源出力接続部に交流電流を分配して出力することにより、アダプタ収納室に収納された２以上のＡＣアダプタの各々に交流電流を出力することができる。
【００１９】
（３）２以上のＡＣアダプタを各々収納する２以上のアダプタ収納室を備えているので、ＡＣアダプタがアダプタ収納室に整然と収納され、ＡＣアダプタを増設してその個数が増加した場合であっても嵩張ったりコードが絡まったりすることなく省スペース性及びメンテナンス性に優れる。
【００２０】
本発明の請求項２に記載の発明は、請求項１に記載のＡＣアダプタ収納装置であって、各々の前記アダプタ収納室の筐体面に形成された放熱用開放部を備えた構成を有している。
【００２１】
この構成により、請求項１の作用に加え、以下の作用を有する。
【００２２】
（１）ＡＣアダプタの内部のトランス等により発生する熱を、アダプタ収納室に収納したまま放熱用開放部から放熱することができる。
【００２３】
（２）各々のアダプタ収納室に放熱用開放部が形成されている場合は、２以上のＡＣアダプタが接近して並設される場合であっても、ＡＣアダプタの過熱を防止することができ安全性に優れる。
【００２４】
本発明の請求項３に記載の発明は、請求項１又は２に記載のＡＣアダプタ収納装置であって、前記ＡＣアダプタ収納室の前記挿入開口部の両側に形成された切り欠き部を備えた構成を有している。
【００２５】
この構成により、請求項１又は２の作用に加え、以下の作用を有する。
【００２６】
（１）切り欠き部に指を挿入してＡＣアダプタの筐体の縁部を指で挟むようにして掴みそのまま引き出すことにより、ＡＣ電源入力接続部はＡＣ電源出力接続部から外れ、ＡＣアダプタをアダプタ収納室の内壁に沿って摺動させ取り出すことができる。
【００２７】
（２）切り欠き部によりＡＣアダプタを容易に取り出すことができるので、ＡＣアダプタの交換やメンテナンスを容易に行うことができ使用性及び利便性に優れる。
【００２８】
本発明の請求項４に記載の発明は、請求項１乃至３の内いずれか１項に記載のＡＣアダプタ収納装置であって、装置の筐体面に形成された掛止部を備えた構成を有している。
【００２９】
この構成により、請求項１乃至３の内いずれか１項の作用に加え、以下の作用を有する。
【００３０】
（１）ＡＣアダプタ収納装置の筐体裏面に形成された掛止部を取り付け場所の壁面等に予め固定したフックや螺子等に掛止することにより、ＡＣアダプタ収納装置を任意の場所に取り付けることができる。
【００３１】
本発明の請求項５に記載の発明は、請求項１乃至４の内いずれか１項に記載のＡＣアダプタ収納装置であって、前記電源分配部が、高調波の発生を抑制する高調波抑制部を備えた構成を有している。
【００３２】
この構成により、請求項１乃至４の内いずれか１項の作用に加え、以下の作用を有する。
【００３３】
（１）高調波抑制部によりＡＣアダプタで発生した高調波がＡＣ電源側に漏れることを防止することができるので、ＡＣ電源に接続された他機器の高調波による障害を防止することができる。
【００３４】
以下に本発明の一実施の形態について説明する。
【００３５】
（実施の形態１）
図１は本実施の形態１におけるＡＣアダプタ収納装置の一部透視斜視図であり、図２は本実施の形態１におけるＡＣアダプタ収納装置の挿入開口部側の要部平面図であり、図３は本実施の形態１におけるＡＣアダプタ収納装置の筐体裏面側の要部平面図である。
【００３６】
図中、１は本実施の形態１のＡＣアダプタ収納装置、２ａ，２ｂはＡＣアダプタ、３ａ，３ｂはＡＣアダプタ２ａ，２ｂを収納するアダプタ収納室、４はアダプタ収納室３ａ，３ｂ各々に形成された挿入開口部、５はアダプタ収納室３ａ，３ｂの最奥部６に配設されたＡＣ電源出力接続部、５ａはＡＣ電源出力接続部５の凸状部、７はＡＣアダプタ２ａ，２ｂのＡＣ電源入力接続部、７ａはＡＣ電源入力接続部７の凹状部、８はアダプタ収納室３ａ，３ｂの最奥部６の外側に配設された電源処理装置部、９は電源処理装置部８に配設されＡＣ電源から交流電流が入力されるＡＣ電源入力部、９ａはＡＣ電源入力部９の凹状部、１０は電源処理装置部８の内部に配設されＡＣ電源入力部９から入力された交流電流を２つのアダプタ収納室３ａ，３ｂの各々のＡＣ電源出力接続部５に分配して出力する電源分配部、１１はＡＣ電源入力部９に接続されるＡＣコネクタ、１２はコンセント等のＡＣ電源に接続されるＡＣプラグ（図示せず）とＡＣコネクタ１１とを接続するＡＣコード、１３はアダプタ収納室３ａ，３ｂの上面側の筐体面にＡＣアダプタ２ａ，２ｂの挿入方向に形成された放熱用開放部、１４はアダプタ収納室３ａ，３ｂの挿入開口部４の両側に筐体を切り欠いて形成された切り欠き部、１５は構内交換機等の機器に接続されるＤＣジャック（図示せず）とＡＣアダプタ２ａ，２ｂとを接続するＤＣコードである。図３において、１６はＡＣアダプタ収納装置１の矩形状の筐体裏面１７に形成された掛止部である。
【００３７】
アダプタ収納室３ａ，３ｂは、合成樹脂製或いは金属製等の筐体により形成され、その形状はＡＣアダプタ２ａ，２ｂと略同形状に形成される。本実施の形態１においては、ＡＣアダプタ２ａ，２ｂの形状は略直方体であるので、アダプタ収納室３ａ，３ｂは略同形状の直方体に形成されている。また、ＡＣアダプタ２ａ，２ｂは長手方向の一端側の側面にＡＣ電源入力接続部７が配設され、他端側の側面に構内交換機等の機器に接続するためのＤＣコード１５が接続されている。アダプタ収納室３ａ，３ｂの長手方向の一端側には、ＡＣアダプタ２ａ，２ｂがそのＡＣ電源入力接続部７側から挿入される挿入開口部４が形成され、他端側（最奥部６）にはＡＣ電源入力接続部７が接続されるＡＣ電源出力接続部５が配設されている。
【００３８】
また、アダプタ収納室３ａ，３ｂの上面側の筐体面には、ＡＣアダプタ２ａ，２ｂの挿入方向、すなわちアダプタ収納室３ａ，３ｂの長手方向に延びる放熱用開放部１３が形成されている。なお、放熱用開放部１３は本実施の形態１のようなアダプタ収納室３ａ，３ｂの長手方向に延びる所定幅の開口に限られるものではなく、筐体面に円形や多角形の開口を１乃至複数形成したものでもよく、或いは放熱用開放部１３を設けなくてもよい。
【００３９】
更に、アダプタ収納室３ａ，３ｂの挿入開口部４の両側の筐体の縁部には略半円形状の切り欠き部１４が形成されている。切り欠き部１４はアダプタ収納室３ａ，３ｂに装着されたＡＣアダプタ２ａ，２ｂを指で挟んで抜き出すためのものである。このため、切り欠き部１４は使用者の指が挿入できる程度の所定の大きさに形成されている。また、放熱用開放部１３を切り欠き部１４と兼用することもできる。この場合、アダプタ収納室３ａ，３ｂの対向する筐体面の各々に挿入開口部４側の縁部から最奥部６の近傍まで延びる比較的大きな切り欠きを形成して放熱用開放部兼切り欠き部とすることができる。
【００４０】
なお、本実施の形態１においては、ＡＣアダプタ収納装置１として、２つのアダプタ収納室３ａ，３ｂを備えたものについて説明しているが、これに限られるものではなく、３乃至複数のアダプタ収納室を設けることもできる。この場合、３乃至複数のアダプタ収納室の各々にＡＣ電源出力接続部５が配設される。
【００４１】
また、アダプタ収納室３ａ，３ｂはその長手方向が同じ方向を向くようにして左右に並設されている。３乃至複数のアダプタ収納室が設けられる場合は、本実施の形態１のように左右方向に並設すると共に、上下方向に２乃至複数列にして並設することもできる。なお、各々のアダプタ収納室３ａ，３ｂに形成される挿入開口部４は、同じ方向を向くように形成されることが好ましい。これにより、複数のＡＣアダプタ２ａ，２ｂを同じ方向からアダプタ収納室３ａ，３ｂに挿入することができる。
【００４２】
電源処理装置部８は、アダプタ収納室３ａ，３ｂの最奥部６の外側に配設され、アダプタ収納室３ａ，３ｂの筐体と一体的に連設された筐体により覆われている。電源処理装置部８は、内部にＡＣ電源出力接続部５とＡＣ電源入力部９と電源分配部１０が内蔵されている。
【００４３】
ＡＣ電源出力接続部５は、アダプタ収納室３ａ，３ｂの最奥部６から挿入開口部４側へ突設された凸状部５ａを有している。なお、凸状部５ａはその先端部にＡＣ電源用の２端子とアース用の１端子からなる雌型端子が配設されている。ＡＣアダプタ２ａ，２ｂがアダプタ収納室３ａ，３ｂに装着されると、凸状部５ａはＡＣ電源入力接続部７の凹状部７ａに嵌入され、凸状部５ａの雌型端子と凹状部７ａの内部に配設された雄型端子とが接続され電気的に接続されると共に嵌着固定される。
【００４４】
また、ＡＣ電源入力部９は凹状部９ａを有している。なお、凹状部９ａはその内部にＡＣ電源用の２端子とアース用の１端子からなる雄型端子が配設されている。ＡＣコネクタ１１の凸状部１１ａが嵌入され、凹状部９ａの雄型端子と凸状部１１ａの先端部に配設された雌型端子とが接続され電気的に接続されると共に嵌着固定される。
【００４５】
なお、ＡＣコネクタ１１の凸状部１１ａとＡＣ電源出力接続部５の凸状部５ａは同形状となるように形成され、ＡＣ電源入力部９の凹状部９ａとＡＣ電源入力接続部７の凹状部７ａは同形状となるように形成されている。これにより、ＡＣアダプタ２ａ，２ｂを従来のように単体で使用する場合は、ＡＣコネクタ１１が直接ＡＣ電源入力接続部７に接続されるようになっている。
【００４６】
以上のように構成された本実施の形態１におけるＡＣアダプタ収納装置１について、その動作を図を用いて説明する。
【００４７】
ＡＣアダプタ２ａ，２ｂをアダプタ収納室３ａ，３ｂに装着するには、ＡＣアダプタ２ａ，２ｂをＡＣ電源入力接続部７側からアダプタ収納室３ａ，３ｂの挿入開口部４に挿入し、アダプタ収納室３ａ，３ｂの内壁に沿って摺動させながら押し込む。ＡＣ電源入力接続部７はアダプタ収納室３ａ，３ｂの最奥部６においてＡＣ電源出力接続部５に嵌着され、電気的に接続されると共に固定される。
【００４８】
ＡＣアダプタ２ａ，２ｂをアダプタ収納室３ａ，３ｂから取り出すには、切り欠き部１４に指を挿入してＡＣアダプタ２ａ，２ｂのＤＣコード１５の接続側の筐体の縁部を指で挟むようにして掴み、そのまま引き出す。これにより、ＡＣ電源入力接続部７はＡＣ電源出力接続部５から外れると共に、ＡＣアダプタ２ａ，２ｂはアダプタ収納室３ａ，３ｂの内壁に沿って摺動し、取り出される。
【００４９】
また、図３に示すように、ＡＣアダプタ収納装置１を壁面等に掛止する場合は、ＡＣアダプタ収納装置１の筐体裏面１７に形成された掛止部１６を取り付け場所の壁面等に予め固定したフックや螺子等に掛止する。これにより、ＡＣアダプタ収納装置１を任意の場所に取り付けることができる。なお、ＡＣアダプタ収納装置１は挿入開口部４を上に向けて取り付けることが好ましい。これにより、ＡＣアダプタ２ａ，２ｂの装着及び取り出しを容易に行うことができる。
【００５０】
次に、ＡＣアダプタ収納装置１の電気的な接続について図４を用いて説明する。
【００５１】
図４（ａ）はＡＣアダプタのブロック図であり、図４（ｂ）はＡＣアダプタ収納装置のブロック図であり、図４（ｃ）は高調波対策用処理部のブロック図である。
【００５２】
図中、２０はコンセント等のＡＣ電源に接続されるＡＣプラグ、２１は構内交換機等の機器に接続されるＤＣジャック、２２は高調波対策用処理部である。図４（ｃ）において、２３ａ，２３ｂは高調波を抑制するためのチョークコイル等からなる高調波抑制部である。なお、図１乃至図３において説明したものは同一の符号を付けて説明を省略する。
【００５３】
図４（ａ）に示すように、ＡＣアダプタ２ａ，２ｂが従来のように単体で使用される場合は、ＡＣプラグ２０がコンセント等のＡＣ電源（図示せず）に接続され、ＡＣコネクタ１１がＡＣ電源入力接続部７に接続され、ＤＣジャック２１が構内交換機等の機器（図示せず）に接続される。ＡＣアダプタ２ａはＡＣ電源からＡＣプラグ２０、ＡＣコード１２、ＡＣコネクタ１１、ＡＣ電源入力接続部７を介して交流電流を得て、得た交流電流を直流電流に変換すると共に所定電圧に変圧してＤＣコード１５、ＤＣジャック２１を介して機器へ直流電流を供給する。
【００５４】
図４（ｂ）に示すように、本実施の形態１のＡＣアダプタ収納装置１を用いて、１つのコンセント等のＡＣ電源から２つのＡＣアダプタ２ａ，２ｂへＡＣ電源を供給することができる。この場合、ＡＣプラグ２０がコンセント等のＡＣ電源（図示せず）に接続され、ＡＣコネクタ１１がＡＣ電源入力部９に接続され、２つのＡＣ電源出力接続部５には、各々ＡＣアダプタ２ａ，２ｂのＡＣ電源入力接続部７が接続され、ＡＣアダプタ２ａ，２ｂの各々のＤＣジャック２１が構内交換機等の機器（図示せず）に接続される。電源分配部１０はＡＣ電源からＡＣプラグ２０、ＡＣコード１２、ＡＣコネクタ１１、ＡＣ電源入力部９を介して交流電流を得て、後述する高調波対策用処理部２２を介して２つのＡＣ電源出力接続部５に交流電流を分配して出力する。ＡＣアダプタ２ａ，２ｂはＡＣ電源出力接続部５に接続されたＡＣ電源入力接続部７から交流電流を得て、得た交流電流を直流電流に変換すると共に所定電圧に変圧してＤＣコード１５、ＤＣジャック２１を介して機器へ供給する。
【００５５】
図４（ｃ）に示すように、高調波対策用処理部２２はＡＣ電源入力部９から得た交流電流を分配する。分けられた交流電流は各々ＡＣアダプタ２ａ，２ｂへ供給される。また、ＡＣアダプタ２ａ，２ｂで発生した高調波は、高調波抑制部２３ａ，２３ｂにより除去されるため、ＡＣ電源側に漏れることはない。これにより、ＡＣ電源に接続された他機器の高調波による障害を防止することができる。
【００５６】
以上のように本実施の形態１のＡＣアダプタ収納装置１は構成されているので、以下のような作用を有する。
【００５７】
（１）ＡＣアダプタ２ａ，２ｂをＡＣ電源入力接続部７側からアダプタ収納室３ａ，３ｂの挿入開口部４に挿入し、アダプタ収納室３ａ，３ｂの内壁に沿って摺動させながら押し込み、ＡＣ電源入力接続部７をアダプタ収納室３ａ，３ｂの最奥部６においてＡＣ電源出力接続部５に接続することにより、ＡＣアダプタ２ａ，２ｂをアダプタ収納室３ａ，３ｂに装着し収納することができる。
【００５８】
（２）切り欠き部１４に指を挿入してＡＣアダプタ２ａ，２ｂの筐体の縁部を指で挟むようにして掴みそのまま引き出すことにより、ＡＣ電源入力接続部７をＡＣ電源出力接続部５から外し、ＡＣアダプタ２ａ，２ｂをアダプタ収納室３ａ，３ｂの内壁に沿って摺動させ取り出すことができる。
【００５９】
（３）ＡＣアダプタ２ａ，２ｂを各々収納するアダプタ収納室３ａ，３ｂを備えているので、ＡＣアダプタ２ａ，２ｂがアダプタ収納室３ａ，３ｂに整然と収納され、ＡＣアダプタを増設してその個数が増加した場合であっても嵩張ったりコードが絡まったりすることなく省スペース性及びメンテナンス性に優れる。
【００６０】
（４）切り欠き部１４によりＡＣアダプタ２ａ，２ｂを容易に取り出すことができるので、ＡＣアダプタ２ａ，２ｂの交換やメンテナンスを容易に行うことができる。
【００６１】
（５）ＡＣアダプタ２ａ，２ｂの内部のトランス等により発生する熱を、アダプタ収納室３ａ，３ｂに収納したままで放熱用開放部１３から放熱することにより、接近して並設されたＡＣアダプタ２ａ，２ｂの過熱を防止することができる。
【００６２】
（６）電源分配部１０はＡＣ電源からＡＣ電源入力部９を介して交流電流を得ると共に、アダプタ収納室３ａ，３ｂの各々に配設されたＡＣ電源出力接続部５に交流電流を分配して出力することにより、アダプタ収納室３ａ，３ｂに収納されたＡＣアダプタ２ａ，２ｂに交流電流を出力することができる。
【００６３】
（７）電源分配部１０の高調波対策用処理部２２に配設された高調波抑制部２３ａ，２３ｂによりＡＣアダプタ２ａ，２ｂで発生した高調波を除去してＡＣ電源側に漏れることを防止することができるので、ＡＣ電源に接続された他機器の高調波による障害を防止することができる。
【００６４】
【発明の効果】
以上のように本発明のＡＣアダプタ収納装置によれば、以下のような有利な効果を得ることができる。
【００６５】
請求項１に記載の発明によれば、
（１）２以上のＡＣアダプタを各々収納する２以上のアダプタ収納室を備えているので、ＡＣアダプタがアダプタ収納室に整然と収納され、ＡＣアダプタを増設してその個数が増加した場合であっても嵩張ったりコードが絡まったりすることなく省スペース性及びメンテナンス性に優れたＡＣアダプタ収納装置を提供することができる。
【００６６】
請求項２に記載の発明によれば、請求項１の効果に加え、
（１）ＡＣアダプタの内部のトランス等により発生する熱を、アダプタ収納室に収納したまま放熱用開放部から放熱することができるので、ＡＣアダプタの過熱を防止し安全性に優れたＡＣアダプタ収納装置を提供することができる。
【００６７】
請求項３に記載の発明によれば、請求項１又は２の効果に加え、
（１）切り欠き部によりＡＣアダプタを容易に取り出すことができるので、ＡＣアダプタの交換やメンテナンスを容易に行うことができる使用性及び利便性に優れたＡＣアダプタ収納装置を提供することができる。
【００６８】
請求項４に記載の発明によれば、請求項１乃至３の内いずれか１項の効果に加え、
（１）ＡＣアダプタ収納装置の筐体裏面に形成された掛止部を取り付け場所の壁面等に予め固定したフックや螺子等に掛止することにより、ＡＣアダプタ収納装置を任意の場所に取り付けることができる取り付け性に優れたＡＣアダプタ収納装置を提供することができる。
【００６９】
請求項５に記載の発明によれば、請求項１乃至４の内いずれか１項の効果に加え、
（１）高調波抑制部によりＡＣアダプタで発生した高調波がＡＣ電源側に漏れることを防止することができるので、ＡＣ電源に接続された他機器の高調波による障害を防止することができるＡＣアダプタ収納装置を提供することができる。
【図面の簡単な説明】
【図１】実施の形態１におけるＡＣアダプタ収納装置の一部透視斜視図
【図２】実施の形態１におけるＡＣアダプタ収納装置の挿入開口部側の要部平面図
【図３】実施の形態１におけるＡＣアダプタ収納装置の裏面側の要部平面図
【図４】（ａ）ＡＣアダプタのブロック図
（ｂ）ＡＣアダプタ収納装置のブロック図
（ｃ）高調波対策用処理部のブロック図
【図５】一般的なＡＣアダプタの要部斜視図
【符号の説明】
１  ＡＣアダプタ収納装置
２ａ，２ｂ  ＡＣアダプタ
３ａ，３ｂ  アダプタ収納室
４  挿入開口部
５  ＡＣ電源出力接続部
５ａ  凸状部
６  最奥部
７  ＡＣ電源入力接続部
７ａ  凹状部
８  電源処理装置部
９  ＡＣ電源入力部
９ａ  凹状部
１０  電源分配部
１１  ＡＣコネクタ
１１ａ  凸状部
１２  ＡＣコード
１３  放熱用開放部
１４  切り欠き部
１５  ＤＣコード
１６  掛止部
１７  筐体裏面
２０  ＡＣプラグ
２１  ＤＣジャック
２２  高調波対策用処理部
２３ａ，２３ｂ  高調波抑制部
１００  ＡＣアダプタ
１０１  ＡＣコード
１０２  ＡＣコネクタ部
１０３  ＡＣ電源入力接続部
１０４  ＤＣコード
【図１】
2004281246.tif 000003
【図２】
2004281246.tif 000004
【図３】
2004281246.tif 000005
【図４】
2004281246.tif 000006
【図５】
2004281246.tif 000007